(57)【要約】【課題】製造方法が簡単でより簡素かつ耐久性を有し、経年変化しない高級感と美観を備え、納骨の時の遺族の悲しみを充分にやわらげることができる納骨室を提供すること。【解決手段】本納骨室１０は、墓の下部に設けられる、底部が開放した升状の形状をとるものであって、納骨室１０は、升状体を形成するための焼成したセラミックス製の板（望ましくは陶板）１１Ａ等、または一体に形成された升状体から構成され、形成された升状体の内側表面には、絵、模様、写真、図形、記号、文字、その他の表示、またはこれらの組み合わせからなる表示５Ａ等を設ける構成とする。板１１Ａ等には、隣接する板を押圧支持するための押圧支持構造３１が設けられる。【選択図】  図１
2005068670.tif 000002
【特許請求の範囲】
【請求項１】
墓の下部に設けられる、底部が開放した升状の形状をとる納骨室であって、該納骨室は升状体を形成するための焼成したセラミックス製の板、または一体に形成された升状体から構成され、形成された升状体の内側表面には、絵、模様、写真、図形、記号、文字、その他の表示、またはこれらの組み合わせからなる表示が設けられていることを特徴とする納骨室。
【請求項２】
升状体を形成するための四枚の板材からなる組み立て式の納骨室であって、該板材のうち二枚または四枚全部の側端部には、該四枚の板材が枡状体に組まれて納骨室が形成された際に、隣接する二枚の板材を押圧支持することによりその内側への倒れ込み防止に用いることのできる押圧支持構造が設けられていることを特徴とする、請求項１に記載の納骨室。
【請求項３】
前記押圧支持構造は前記板材のうち二枚に設けられ（以下、該板材を「支持構造付き板材」という。）、該構造は、該支持構造付き板材の両側端部に設けられた、該押圧支持構造の設けられない他方板材の側端部を該支持構造付き板材に対して垂直に当接させた場合に嵌合するような欠切部であることを特徴とする、請求項２に記載の納骨室。
【請求項４】
前記押圧支持構造は前記板材の四枚すべてに設けられ、該構造は、該板材の一側端部または両側端部に設けられた、他の板材の側端部を該板材に対して垂直または垂直方向に当接させた場合に嵌合するような欠切部またはその他の嵌合用部であることを特徴とする、請求項２に記載の納骨室。
【請求項５】
前記焼成したセラミックスは陶板であることを特徴とする、請求項１ないし４のいずれかに記載の納骨室。
【請求項６】
墓の下部に設けられる、底部が開放した升状の形状をとる納骨室の形成に用いることのできる納骨室用板材であって、該納骨室用板材は、焼成したセラミックス製の板であり、納骨室内側用として用いることのできる表面には、絵、模様、写真、図形、記号、文字、その他の表示、またはこれらの組み合わせからなる表示が設けられていることを特徴とする、納骨室用板材。
【請求項７】
前記納骨室用板材には、その側端部に、四枚の該板材が枡状体に組まれて納骨室が形成された際に、隣接する二枚の板材を押圧支持することによりその内側への倒れ込み防止に用いることのできる押圧支持構造が設けられていることを特徴とする、請求項６に記載の納骨室用板材。
【請求項８】
前記押圧支持構造は、前記納骨室用板材の両側端部に設けられた、該押圧支持構造の設けられない板材の側端部を該納骨室用板材に対して垂直に当接させた場合に嵌合するような欠切部であることを特徴とする、請求項７に記載の納骨室用板材。
【請求項９】
前記押圧支持構造は、前記納骨室用板材の一側端部または両側端部に設けられた、他の板材の側端部を該板材に対して垂直または垂直方向に当接させた場合に嵌合するような欠切部またはその他の嵌合用部であることを特徴とする、請求項７に記載の納骨室用板材。
【請求項１０】
前記焼成したセラミックスは陶板であることを特徴とする、請求項６ないし９のいずれかに記載の納骨室用板材。
【発明の詳細な説明】
【０００１】
【発明の属する技術分野】
本発明は納骨室および納骨室用板材に係り、特に、製造方法が簡単で、カビの発生や汚れの付着を防ぎやすい構造を有し、高級感と美観を備えることによって、納骨の時の遺族の悲しみをやわらげることができる、納骨室および納骨室用板材に関する。
【０００２】
【従来の技術】
図８は、従来の納骨室を示す写真図である。従来の納骨室は通常、コンクリート製であるが、納骨室内は土が露出して密閉されているため湿度が高い。そのためカビの発生や汚れの付着が生じやすく、しかも納骨室内面は表面がざらざらしているので、そのような汚れが落ちにくい状態である。もとより光が入らないところであり、怖いイメージがあることに加え、景観的にも暗く、かつ汚いイメージさえあることは否定できない。納骨室内が人目に触れるのは通常、納骨の際だけであるが、従来の納骨室が有するこれらのイメージは、納骨の際の遺族の悲しみをいやが上にも増させることとなる。また、いずれは遺族自身もその墓の中に入るものであることを考えれば、よりきれいな、明るいイメージの納骨室を採用し得ることは、大いに意義を有する。かかる観点から従来より、納骨室の改良の提案がなされている。
【０００３】
納骨室の改良に関連する先行技術を知るため、特許出願等の検索調査を行った。特許庁ホームページ上の特許電子図書館（ＩＰＤＬ）の特許実用新案公報テキスト検索メニューを用い、下記条件にて検索した。
検索式
要約＋特許請求の範囲＝墓ａｎｄ納ａｎｄ骨ａｎｄ（板  枠  枡  ます）
検索対象：公開特許、公開実用新案、特許、実用新案の各公報。
検索結果：公開特許公報７３件、特許公報２２件、公開実用新案公報５６件、実用新案公報９件。計のべ１６０件。
【０００４】
このうち、特開平８−４３５３号公報に開示された「墓とその納骨室内装材」は、手間とコストを抑制して成仏感を高め、墓の商品価値を高めるために、墓石の下部で地面下に配置する納骨室の四面の側壁のうち少なくとも正面の壁面に納骨室内装材を付設し、該内装材には仏画、経文、模様および彩色などを描き施すという提案を行っている（特許文献１）。また、特許第２５５６７６５号「納骨室の形成方法」では、納骨室開閉時に際し常に明るく清浄な印象を付与し、先祖供養と子孫繁栄を祈念するに相応しいものとすることを目的に、納骨室の内周壁面にそれぞれ異なる仏教画による図柄模様を彫刻によって凹凸状に刻設し、該彫刻部位にアクリル系塗料等の耐候性塗料で彩色された大理石を貼着する方法を提案している（特許文献２）。
【０００５】
また、登録実用新案第３０２８８４３号「墓及び墓納骨堂用石材」では、墓の納骨堂に宗教的荘厳さを与えるために、納骨室を、御影石その他の高級石材を以て板状にし、かつ内壁面に対応する面を研磨面とし、さらに仏画を刻設表示することを提案している（特許文献３）。また、特開平７−４２４１３号公報に開示された「納骨棺」では、美観、清潔感および経年変化に対する耐久性付与を目的に、納骨室のコンクリート製の本体の内壁を陶板で形成する方法を提案している（特許文献４）。
【０００６】
【特許文献１】
特開平８−４３５３号公報。「墓とその納骨室内装材」。要約。特許請求の範囲。図面（図１）。
【特許文献２】
特許第２５５６７６５号「納骨室の形成方法」。要約。特許請求の範囲。図面（図３）。
【特許文献３】
登録実用新案第３０２８８４３号「墓及び墓納骨堂用石材」。要約。特許請求の範囲。図面（図１、２）。
【特許文献４】
特開平７−４２４１３号公報「納骨棺」。要約。特許請求の範囲。図面（図１、２）。
【０００７】
【発明が解決しようとする課題】
しかし、死者を弔う意識には、思い出を永久に残そうという遺族の気持ちが多分にあり、墓石や納骨室には、風化しない石など経年変化ができるだけ少ない素材が要求されるものであり、納骨室の壁面にコスト抑制のため耐久性を不要とする内装材を付設する特許文献１の提案は、かかる要求を満たすことができない。また、図柄模様を彫刻によって凹凸状に刻設しかつ彩色された大理石を納骨室内に貼着するという特許文献２や、特許文献３の提案では、高コストであり、また彫刻は凹凸が多いため汚れが付着しやすくその掃除も難しい上、彫刻に塗料を施した場合、内部から水分を吸収して塗料が剥がれてしまい、常に明るく清浄な印象を付与するとする所期の目的達成には不充分である。納骨室内壁の内装材として陶板を用いる特許文献４の提案では、彫刻を用いる場合の欠点は解消できるものの、納骨室の枡状体とは別に内装材を用い、付設しなくてはならず、コスト面および耐久性の面で問題がある。
【０００８】
本発明の課題は、これら従来技術の欠点を解決し、製造方法が簡単で、より簡素かつ耐久性を有する構成によって、カビの発生や汚れの付着を防ぎやすい構造を有し、経年変化しない高級感と美観を備え、納骨の時の遺族の悲しみを充分にやわらげることができる納骨室および納骨室用板材を提供することである。さらに加えて、施工済みの墓に対しても適用することのできる、納骨室および納骨室用板材を提供することである。
【０００９】
【課題を解決するための手段】
上記課題を解決するために本願発明者が鋭意検討した結果、従来のように別途構成した内装材を用いることなしに、焼成したセラミックス製の板または枡状体による納骨室構造自体の表面に表示を施すことにより上記課題を解決し得ることを見出し、本発明に至った。すなわち、本願において特許請求される発明は以下のとおりである。
【００１０】
（１）墓の下部に設けられる、底部が開放した升状の形状をとる納骨室であって、該納骨室は升状体を形成するための焼成したセラミックス製の板、または一体に形成された升状体から構成され、形成された升状体の内側表面には、絵、模様、写真、図形、記号、文字、その他の表示、またはこれらの組み合わせからなる表示が設けられていることを特徴とする納骨室。
（２）  升状体を形成するための四枚の板材からなる組み立て式の納骨室であって、該板材のうち二枚または四枚全部の側端部には、該四枚の板材が枡状体に組まれて納骨室が形成された際に、隣接する二枚の板材を押圧支持することによりその内側への倒れ込み防止に用いることのできる押圧支持構造が設けられていることを特徴とする、（１）に記載の納骨室。
（３）  前記押圧支持構造は前記板材のうち二枚に設けられ（以下、該板材を「支持構造付き板材」という。）、該構造は、該支持構造付き板材の両側端部に設けられた、該押圧支持構造の設けられない他方板材の側端部を該支持構造付き板材に対して垂直に当接させた場合に嵌合するような欠切部であることを特徴とする、（２）に記載の納骨室。
（４）  前記押圧支持構造は前記板材の四枚すべてに設けられ、該構造は、該板材の一側端部または両側端部に設けられた、他の板材の側端部を該板材に対して垂直または垂直方向に当接させた場合に嵌合するような欠切部またはその他の嵌合用部であることを特徴とする、（２）に記載の納骨室。
（５）  前記焼成したセラミックスは陶板であることを特徴とする、（１）ないし（４）のいずれかに記載の納骨室。
（６）  墓の下部に設けられる、底部が開放した升状の形状をとる納骨室の形成に用いることのできる納骨室用板材であって、該納骨室用板材は、焼成したセラミックス製の板であり、納骨室内側用として用いることのできる表面には、絵、模様、写真、図形、記号、文字、その他の表示、またはこれらの組み合わせからなる表示が設けられていることを特徴とする、納骨室用板材。
（７）  前記納骨室用板材には、その側端部に、四枚の該板材が枡状体に組まれて納骨室が形成された際に、隣接する二枚の板材を押圧支持することによりその内側への倒れ込み防止に用いることのできる押圧支持構造が設けられていることを特徴とする、（６）に記載の納骨室用板材。
（８）  前記押圧支持構造は、前記納骨室用板材の両側端部に設けられた、該押圧支持構造の設けられない板材の側端部を該納骨室用板材に対して垂直に当接させた場合に嵌合するような欠切部であることを特徴とする、（７）に記載の納骨室用板材。
（９）  前記押圧支持構造は、前記納骨室用板材の一側端部または両側端部に設けられた、他の板材の側端部を該板材に対して垂直または垂直方向に当接させた場合に嵌合するような欠切部またはその他の嵌合用部であることを特徴とする、（７）に記載の納骨室用板材。
（１０）  前記焼成したセラミックスは陶板であることを特徴とする、（６）ないし（９）のいずれかに記載の納骨室用板材。
【００１１】
【発明の実施の形態】
以下、本発明を図面を用いて詳細に説明する。
図１は、本発明の納骨室の構成例を示す説明図である。図において本納骨室１０は、墓の下部に設けられる、底部が開放した升状の形状をとるものであって、該納骨室１０は、図示するように升状体を形成するための焼成したセラミックス製の板１１Ａ等、または一体に形成された升状体（図示せず）から構成され、形成された升状体の内側表面には、絵、模様、写真、図形、記号、文字、その他の表示、またはこれらの組み合わせからなる表示（図では、５Ａ、５Ｂ）が設けられていることを、主たる構成とする。該表示（５Ａ等）としては、図示するように、納骨行為や納骨室に相応しいような、たとえば宗教的な図画などを用いることができる。該表示５の内容は特に一定の宗教に係るものに限定されるものではないため、信教の有無、宗教宗派の相違等、死者、遺族、その他のあらゆる事情に合わせて、自由に設定することができる。
【００１２】
図の例に示すように本納骨室１０は、升状体を形成するための四枚の板材１１Ａ、１１Ｂ、１１Ａ、１１Ｂからなる組み立て式の納骨室であり、該板材１１Ａ等のうち二枚または四枚全部の側端部には、該四枚の板材１１Ａ等が枡状体に組まれて納骨室１０が形成された際に、隣接する二枚の板材１１Ｂ等（一の板材１１Ａについて見れば、それに隣接する板材は、該板材１１Ａの左右各端部に位置する、板材１２Ｂ、１２Ｂである。）を押圧支持することによりその内側への倒れ込み防止に用いることのできる押圧支持構造が設けられた構成とすることができる。
【００１３】
【作用】
図１において本発明の納骨室１０は上述のように構成されるため、升状体を形成するための焼成したセラミックス製の板１１Ａ等から枡状体が形成され、または当初から一体に升状体（図示せず）が形成され、その枡状体の構造自体の内側表面に、絵、模様、写真、図形、記号、文字、その他の表示、またはこれらの組み合わせからなる表示（５Ａ等）が設けられる。したがって、上述した各従来技術のように納骨室とは別に内装材等の形で、該表示の表された部材を設ける必要がなく、施工上も、耐久性も、また製造コスト上も有利である。該表示（５Ａ等）の内容は特に一定の宗教に係るものに限定されず、事情に合わせて、自由に設定することができることは、上述のとおりである。
【００１４】
本発明納骨室１０は、前記押圧支持構造（図中例に示す３１など）を備えた焼成セラミックス製板材１１Ａ等により枡状体を形成することにより、該四枚の板材１１Ａ等が枡状体に組まれて納骨室１０が形成された際に、たとえば一の板材１１Ａについては、その左右端部にそれぞれ隣接して位置する二枚の板材１１Ｂ、１１Ｂが該押圧支持構造３１によって押圧支持され、それにより納骨室１０内側への板材１１Ｂ、１１Ｂの倒れ込みが防止され、納骨室１０の構造を安定、強固に、永続的に維持することができる。
【００１５】
図２は、押圧支持構造の設けられた二の板材と他の二の板材を組み合わせてなる本発明の組み立て式の納骨室の枡状体構成例を示す平面説明図である。図において本納骨室２０は、該押圧支持構造３１が設けられた二の支持構造付き板材１１Ａ、１１Ａと、他の二の板材１１Ｂ、１１Ｂから形成される。該押圧支持構造３１は、該支持構造付き板材１１Ａ、１１Ａの両側端部に設けられており、該押圧支持構造の設けられない他方板材１１Ｂ、１１Ｂの側端部を、該支持構造付き板材１１Ａ、１１Ａに対して垂直に当接させた場合に嵌合するような欠切部により構成することができる。
【００１６】
図において本納骨室２０はかかる構成をとるため、該支持構造付き板材１１Ａ、１１Ａの両側端部に設けられた該押圧支持構造３１、３１は、これに対して該他方板材１１Ｂ、１１Ｂの側端部が垂直に当接させられると、ちょうどこれと嵌合するような欠切部構造であるために、該他方板材１１Ｂ、１１Ｂの内側向きの面を押圧支持する。かかる押圧支持は、一の他方板材１１Ｂ等につきその両端部位置においてなされるため、該他方板材１１Ｂ、１１Ｂの納骨室２０内側への倒れ込みが防止される。一方、該支持構造付き板材１１Ａ、１１Ａもまた、特別の押圧支持構造を設けてはいない該他方板材１１Ｂ、１１Ｂの側端部の端面部によって、その内側向きの面が押圧支持され、しかも該他方板材１１Ｂ、１１Ｂの場合と同様にかかる押圧支持は、一の支持構造付き板材１１Ａにつきその両端部位置（該押圧支持構造３１、３１がそれぞれ設けられている位置。）においてなされるため、該支持構造付き板材１１Ａ、１１Ａの納骨室２０内側への倒れ込みも防止される。したがって、二種類計四枚の板材１１Ａ、１１Ｂ、１１Ａ、１１Ｂすべてがその両端部においてそれぞれ、隣接する他の板材（計二枚）により押圧支持されて、いずれの板材１１Ａ、１１Ｂ、１１Ａ、１１Ｂも、納骨室２０内側への倒れ込みが防止されるため、納骨室２０の構造を安定、強固に、永続的に維持することができる。
【００１７】
図３は、押圧支持構造の設けられた板材を四枚組み合わせてなる本発明の組み立て式の納骨室の枡状体構成例を示す平面説明図である。図において本納骨室３０は、前記押圧支持構造３３Ａ等が前記板材１３Ａ、１３Ｂ、１３Ｃ、１３Ｄの四枚すべてに設けられ、すなわちそれぞれ押圧支持構造３３Ａ、３３Ｂ、３３Ｃ、３３Ｄとして設けられ、該構造３３Ａ等は、たとえば該板材１３Ａの一側端部に設けられた、他の板材１３Ｂの側端部を該板材１３Ａに対して垂直に当接させた場合に嵌合するような欠切部またはその他の嵌合用部である構成とすることができる。
【００１８】
図において本納骨室３０はかかる構成をとるため、該板材１３Ａの一側端部に設けられた該押圧支持構造３３Ａは、これに対して該板材１３Ｂの側端部（該押圧支持構造が設けられていない方の側端部。以下の説明では適宜これを「通常側端部」、他方を「構造付き側端部」という。）が垂直に当接させられると、ちょうどこれと嵌合するような欠切部またはその他の嵌合用部を有する構造のために、該板材１３Ｂの内側向きの面を押圧支持する。かかる押圧支持は、該板材１３Ｂにおいても押圧支持構造３３Ｂにより同様に板材１３Ｃに対してなされ、該板材１３Ｃでは押圧支持構造３３Ｃにより板材１３Ｄに対して、また該板材１３Ｄでは押圧支持構造３３Ｄにより該板材１３Ａに対して同様になされ、かつ、押圧支持においてはその反作用によって、該押圧支持構造３３Ａ等を有する構造付き側端部自身も、押圧支持作用対象である該通常側端部の端面部によって逆に押圧されるため、結局、各板材１３Ａ、１３Ｂ、１３Ｃ、１３Ｄはいずれもすべて、その両端部において、隣接する他の部材により押圧支持されて、いずれの板材も納骨室３０内側への倒れ込みが防止されるため、納骨室３０の構造を安定、強固に、永続的に維持することができる。つまり、該板材１３Ａについては１３Ｂと１３Ｄ、該板材１３Ｂについては１３Ａと１３Ｃ、該板材１３Ｃについては１３Ｂと１３Ｄ、該板材１３Ｄについては１３Ｃと１３Ａがそれぞれ、隣接する板材として押圧支持する。
【００１９】
図４は、押圧支持構造の設けられた板材を四枚組み合わせてなる本発明の組み立て式の納骨室の、別の枡状体構成例を示す平面説明図である。図において本納骨室４０は、前記押圧支持構造３４Ａ等が前記板材１４Ａ、１４Ｂ、１４Ｃ、１４Ｄの四枚すべてに設けられ、すなわちそれぞれ、両端一個ずつ計二個の押圧支持構造３４Ａ、３４Ｂ、３４Ｃ、３４Ｄとして設けられ、該押圧支持構造３４Ａ等は、たとえば該板材１４Ａの両側端部に設けられた、他の板材１４Ｂの側端部を該板材１４Ａに対して垂直方向に当接させた場合に、互いに内側への倒れ込み防止となるような支持をし得る斜辺状に欠切された構造である構成とすることができる。
【００２０】
図において本納骨室４０はかかる構成をとるため、該板材１４Ａの両側端部に設けられた該押圧支持構造３４Ａ、３４Ａは、これに対して該板材１４Ｂの側端部（すなわち押圧支持構造３４Ｂ）が垂直方向に当接させられると、ちょうどこれと支持し合って該板材１４Ａ、１４Ｂ同士が垂直に組み合うような斜辺状に欠切された構造であるために、相互に各板材の内側向きの面が納骨室４０内側に倒れ込まないように、相互に斜辺状の欠切構造部分が押圧支持する。結局、各板材１４Ａ、１４Ｂ、１４Ｃ、１４Ｄのいずれにおいても、該押圧支持構造３４Ａ、３４Ａ、３４Ｂ、３４Ｂ、３４Ｃ、３４Ｃ、３４Ｄ、３４Ｄが設けられることによって同様の押圧支持がなされるため、いずれの板材も納骨室４０内側への倒れ込みが防止されるため、納骨室４０の構造を安定、強固に、永続的に維持することができる。
【００２１】
本発明の納骨室は、これを形成する枡状体もしくは枡状体を形成するための板材の材料として、焼成したセラミックスの中でも、特に陶板やタイルを採用することができる。従来用いられてきた石材の場合、白系石材では吸水率が高く、また有色系の石材では鉄分含有量が高くていずれも変色しやすい上、水分と一緒にカビが付着して染み込みやすいなどの難点がある。またコンクリートは安価かつ施工しやすいという利点もあるが、絵柄等の表示の固定が難しい上、吸水性のため装飾が落ちやすい、さらに清掃が容易でなく、美観も劣り、汚れやカビが付着しやすいなどの難点がある。これらと比較して陶板、タイルは、これらの欠点がなく、本発明の納骨室用材料として適している。
【００２２】
陶板は一般に、板状に成形、焼成したセラミックスに絵柄などを施してさらに焼成することにより製造されるが、焼成温度、図柄等の転写方式などの製造条件は適宜の条件を用いることができる。焼成温度は、土器焼成レベルの温度よりは高く、陶器ないし磁器焼成レベルの高温であることが望ましい。たとえば、８００℃前後ないし１３００℃前後などに、焼成温度条件を設定することができるが、本発明はかかる条件には限定されない。絵柄などの表示の熱転写は、熱転写機の使用も可能であるが、電気釜およびガラス加工用除冷炉などを用いて行うこともできる。たとえば、５００℃前後の温度にて、熱転写を行えるが、本発明はかかる条件には限定されない。納骨室構造に用いる材料には、耐候性、防水性、防汚性などが求められるが、特に寒冷地用としては耐凍結性も、納骨室構造用材料が備えるべき特性として挙げられる。陶板やタイルは、耐候性、防水性、防汚性に加え耐凍結性も充分に備えているものであり、寒冷地向けとしても適している。また陶板は、焼き付けられた絵柄等の表示が落ちにくい上、表面を平滑に仕上げることができるため汚れが付着しにくく、たとえ汚れが付着した場合でも容易に清掃することができる。また、上述した板材の組み方による本発明納骨室の構成を行うことも容易であり、作業性、取り扱い性にも優れている。なお、非セラミックス材料であるステンレス製板、アルミ製板、アクリル製板などは、たとえ耐候性の点で特別顕著な不利がないとしても、その風合いに無機的な冷たさ、硬さ、あるいは無味乾燥な点があり、陶板などの焼成セラミックスのような暖かさや親しみを感じさせる点がないため、納骨室構成用材料としては望ましいものではない。
【００２３】
本発明納骨室構成用材料として用いる焼成セラミックスとしては、ガラスを用いることもできる。絵柄等表示の熱転写も、陶板と同様に、たとえばガラス工芸用除冷炉において５００℃前後の温度にて行うことができる。かかる具体的条件により本発明が限定されないことは、上記陶板等の説明と同様である。
【００２４】
図１に既に示したように、本発明の納骨室用板材は１１Ａ等は、焼成したセラミックス製のものを用い、納骨室１０内側用として用いることのできる表面には、絵、模様、写真、図形、記号、文字、その他の表示、またはこれらの組み合わせからなる表示５Ａ等を設けたものであることを、主たる構成とする。そして、図２、３、４に既に示したように該納骨室用板材１１Ａ等は、その側端部に、四枚の該板材１１Ａ等が枡状体に組まれて納骨室が形成された際に、隣接する二枚の板材１１Ｂ等を押圧支持することによりその内側への倒れ込み防止に用いることのできる押圧支持構造３１等を設けることができる。
【００２５】
図２に既に示したように、本発明の納骨室用板材に係る前記押圧支持構造３１は、前記納骨室用板材１１Ａの両側端部に設けられた、該押圧支持構造の設けられない板材１１Ｂの側端部を該納骨室用板材１１Ａに対して垂直に当接させた場合に嵌合するような欠切部の構造とすることができる。また、
図３、４に既に示したように、本発明の納骨室用板材に係る前記押圧支持構造３３Ａ等は、前記納骨室用板材１３Ａ等の一側端部に設けられた、他の板材１３Ｂ等の側端部を該板材１３Ａ等に対して垂直に当接させた場合に嵌合するような欠切部またはその他の嵌合用部の構造とすることができる。また、本発明の納骨室用板材に用いる焼成したセラミックスとしては、上述のように陶板やタイルを用いることができる。
【００２６】
図５は、本発明の納骨室用板材の例を示す平面説明図である。（ａ）、（ｂ）、（ｃ）はそれぞれは図２、図３、図４において説明した納骨室の構成に用いることのできる板材を示す。（ａ）の板材には、段差状の押圧支持構造が両側端部に設けられている。これを用いて納骨室の枡状体を構成するには、この板材を二枚と、側端部に押圧支持構造の設けられていない、すなわち断面形状が長方形である板材を二枚用いて、図２のように組み合わせて用い、納骨室を構成する。（ｂ）の板材には、段差状の押圧支持構造が一方側端部のみに設けられている。この場合、（ａ）の場合とは異なり、板材の種類は一種類のみでよい。これを用いて納骨室の枡状体を構成するには、一の板材の構造付き側端部と他の板材の通常側端部とを嵌合させるようにして、図３のように組み合わせて用い、納骨室を構成する。（ｃ）の板材には、斜辺状の押圧支持構造が両側端部に設けられている。この場合も、板材の種類は一種類のみでよい。これを用いて納骨室の枡状体を構成するには、一の板材の側端部と他の板材の側端部とを嵌合させるようにして、図４のように組み合わせて用い、納骨室を構成する。
【００２７】
先述したとおり、本発明の納骨室は、板材を基礎として枡状体を形成するのみならず、当初から一体に形成された枡状体を用いることもできるが、構造としての製法の簡素化、絵柄等の表示の熱転写工程の簡素化、製造・運搬コストの抑制等の点で、納骨室用板材として製造し、これを施工の際に組み合わせて納骨室とする方法が、より利点が多い。本発明の納骨室および納骨室用板材は、埋葬が火葬および納骨の方式であれば、我が国に限定されず外国においても採用することのできる発明であり、産業上利用性は大きい。
【００２８】
本発明の納骨室および納骨室用板材は、新規に建立される墓に対し施工できるのはもちろんのこと、既に従来型の納骨室を施工済みの墓に対しても、用いることができる。すなわち、既に施工済みの納骨室の内側に嵌め込むことのできる本発明納骨室を構成して、嵌め込めばよい。
【００２９】
本発明の納骨室および納骨室用板材は、以上説明したように、従来多く見られる枡状体構成による納骨室について利用することができるが、それに限定されず、次のような構成をとることもできる。すなわち、
（Ａ）墓に設けられる納骨室であって、該納骨室は、焼成したセラミックス製の板または部材から構成され、そのように構成された内側表面には、絵、模様、写真、図形、記号、文字、その他の表示、またはこれらの組み合わせからなる表示が設けられていることを特徴とする納骨室。
（Ａ’）前記納骨室に対し、上述した（２）ないし（５）の構成のいずれかを適用した納骨室。
（Ｂ）墓に設けられる納骨室の形成に用いることのできる納骨室用板材であって、該納骨室用板材は、焼成したセラミックス製の板であり、納骨室内側用として用いることのできる表面には、絵、模様、写真、図形、記号、文字、その他の表示、またはこれらの組み合わせからなる表示が設けられていることを特徴とする、納骨室用板材。
（Ｂ’）前記納骨室用板材に対し、上述した（７）ないし（１０）の構成のいずれかを適用した納骨室用板材。
である。
【００３０】
最近の墓地の形態としては、たとえば、奥行きに余裕のない墓の場合や地下水の多い場合に便利な形式である、前面扉式の納骨室（いわゆる、丘カロート。）など、従来の型のものとは異なる形式のものも提供されている。かかる新形式の墓・納骨室は現時点では未だ主流ではないが、用地事情、生活様式・冠婚葬祭に関する意識の多様化などに伴い、今後増加することも充分に考えられる。また、さらに異なる形式の納骨室の出現も考えられる。しかし、このような形式の納骨室の場合であっても、板材等の部材により内部に納骨をすることができるような室構造を形成するものである限り、上記（Ａ）、（Ａ’）、（Ｂ）または（Ｂ’）に述べた納骨室、または納骨室用板材を適用して、本願特許請求の範囲に係る発明の説明において上述したのと同様の効果の得られる納骨室を構成することができる。すなわち、製造方法が簡単で、従来技術より簡素かつ耐久性を有する構成によって、カビの発生や汚れの付着を防ぎやすい構造を有し、経年変化しない高級感と美観を備え、納骨の時の遺族の悲しみを充分にやわらげることができ、施工済みの墓に対しても適用することができる、という各効果の得られる納骨室を、構成することが可能である。
【００３１】
【実施例】
以下、本発明の実施例を記載するが、本発明納骨室および納骨室用板材はこれらの実施例に限定されるものではない。
＜実施例＞
図６は、納骨室用板材に施される表示として用いる、熱転写用原画の例である。水彩画（６４Ａ）をパーソナルコンピュータ等を用いてデジタルデータ化して用いる。図７は図６の原画６４Ａ等を熱転写して形成した陶板製の納骨室用板材を、四枚組み合わせて枡状体にした納骨室７０の施工例を示す斜視説明図である。陶板は電気釜を用いて焼成し、原画６４Ａ等の熱転写はガラス加工用除冷炉を用いて行い、表示６５Ａ、６５Ｂ等を形成した。板材の組み方としては、図５の（ａ）に示した型の板材を用いて図２に示した方法を採用した。図示されるように、従来の暗く汚く怖いイメージは微塵もなく、清浄、安寧なイメージの表示を施し、納骨をする際の悲しさ、寂しさを和らげることができ、新たな観点から生死観の深化あるいは醸成の契機を提供することとも可能である。陶板上に設けられた絵柄等の表示（６５Ａ、６５Ｂ等）は耐久性がよく、かつ汚れが付着しにくい上に清掃も容易であり、その永続性は、遺族が死者を弔う意識に存在する、思い出を永久に残そうという心情にも合うものである。なお、本例では表示として、仏式の神仏を描いた図柄と花を用いたが、宗教宗派の別、あるいは信教の有無などにより、適宜の表示を自由に構成して設けることができることは、いうまでもない。
【００３２】
【発明の効果】
本発明の納骨室および納骨室用板材は上述のように構成されるため、これらによれば、従来技術よりも簡単に製造でき、より簡素かつ耐久性を有する構成とすることができる。また、カビの発生や汚れの付着を防ぎやすく、経年変化せず、永続的に高級感と美観を備え、納骨の際の遺族の悲しみを充分にやわらげることができる。特に陶板等を材料とした納骨室用板材およびそれにより形成される納骨室は、これらの効果を特に発揮することができる。さらに加えて本発明納骨室および納骨室用板材は、既に施工済みの墓に対しても適用することができる。本発明は、製造・流通・施工・商品開発上において、便利で発展性のある組み立て式の納骨室および納骨室用板材として、産業上の利用性・発展性が高いものである。
【図面の簡単な説明】
【図１】本発明の納骨室の構成例を示す説明図である。
【図２】押圧支持構造の設けられた二の板材と他の二の板材を組み合わせてなる本発明の納骨室の枡状体構成例を示す平面説明図である。
【図３】押圧支持構造の設けられた板材を四枚組み合わせてなる本発明の納骨室の枡状体構成例を示す平面説明図である。
【図４】押圧支持構造の設けられた板材を四枚組み合わせてなる本発明の納骨室の、別の枡状体構成例を示す平面説明図である。
【図５】本発明の納骨室用板材の例を示す平面説明図である。
【図６】納骨室用板材に施される表示として用いる熱転写用原画の例である。
【図７】図６の原画等を熱転写して形成した陶板製の納骨室用板材を、四枚組み合わせて枡状体にした納骨室の施工例を示す斜視説明図である。
【図８】従来のコンクリート製納骨室を示す写真図である。
【符号の説明】
５Ａ、５Ｂ、６５Ａ、６５Ｂ…絵、模様、写真、図形、記号、文字、その他の表示、またはこれらの組み合わせからなる表示
１０、２０、３０、４０、７０…納骨室
１１Ａ、１１Ｂ…板材
１３Ａ、１３Ｂ、１３Ｃ、１３Ｄ…板材
１４Ａ、１４Ｂ、１４Ｃ、１４Ｄ…板材
３１…押圧支持構造
３３Ａ、３３Ｂ、３３Ｃ、３３Ｄ…押圧支持構造
３４Ａ、３４Ｂ、３４Ｃ、３４Ｄ…押圧支持構造
６４Ａ…原画
【図１】
2005068670.tif 000003
【図２】
2005068670.tif 000004
【図３】
2005068670.tif 000005
【図４】
2005068670.tif 000006
【図５】
2005068670.tif 000007
【図６】
2005068670.tif 000008
【図７】
2005068670.tif 000009
【図８】
2005068670.tif 000010